(57)【要約】【課題】レピアバンドの温度上昇を抑制する。【解決手段】第３の位置規制体１９の外面にはペルチェ素子２２が配設されている。ペルチェ素子２２には制御手段２８が電気的に接続されている。制御手段２８は、一定の電圧を印加する直流電源（図示略）を含む。制御手段２８にはタイマ２９が信号接続されている。タイマ２９は、任意の作動時間を設定可能な時限設定型である。制御手段２８は、タイマ２９からの作動信号が入力している間はペルチェ素子２２に直流電流を流す。タイマ２９からの作動信号の入力がなくなると、制御手段２８は、ペルチェ素子２２への通電を停止する。【選択図】　　　図１
2004100070.tif 000002
【特許請求の範囲】
【請求項１】
レピアホイールに巻き掛けられたレピアバンドを前記レピアホイールの周面に対して位置規制する位置規制体を備え、前記レピアバンドの先端に取り付けられたレピアヘッドを前記レピアホイールの往復回動によって経糸開口内へ挿入すると共に、経糸開口内から退避させて緯糸を緯入れするレピア織機において、
前記レピアバンドの走行経路に対応してペルチェ素子を設け、前記ペルチェ素子への通電によって前記レピアバンドから熱を奪うようにしたレピア織機におけるレピアバンドの冷却装置。
【請求項２】
前記ペルチェ素子は、前記レピアバンドに接触しないように前記位置規制体に設けられている請求項１に記載のレピア織機におけるレピアバンドの冷却装置。
【請求項３】
前記位置規制体の温度を検出する温度検出手段と、前記温度検出手段によって検出された温度に応じて、前記ペルチェ素子に対する通電の大きさを制御する制御手段とを備えた請求項２に記載のレピア織機におけるレピアバンドの冷却装置。
【発明の詳細な説明】
【０００１】
【発明の属する技術分野】
本発明は、レピア織機におけるレピアバンドの冷却装置に関するものである。
【０００２】
【従来の技術】
特許文献１、特許文献２に開示されるように、レピア織機における緯入れ装置には、レピアヘッドを止着したレピアバンドと、レピアバンドを巻き掛けたレピアホイールとからなる機構がある。剛性があって撓み変形可能なレピアバンドを巻き掛けたレピアホイールは往復回動され、レピアバンドに止着されたレピアヘッドが経糸開口内へ進入すると共に、経糸開口内から退避して緯糸の緯入れが行われる。
【０００３】
これらの緯入れ装置では、レピアバンドがレピアホイールの周面から離脱しないように位置規制体（特許文献２ではガイド部材と称している）によって位置規制されている。位置規制体によるレピアバンドの位置規制は、レピアバンドがレピアホイールの周面から離れる位置付近では必ず必要である。そのため、レピア織機の運転時にはレピアバンドと位置規制体とが摺接し、レピアバンドが摩耗する。
【０００４】
特許文献２に開示のレピアバンドでは、ガイド部材とレピアバンドとの摺接によるレピアバンドの摩耗を抑制するため、レピアバンドの表面に潤滑材を付与する対策が施されている。
【０００５】
【特許文献１】
特開平１１−１０７１１３号公報
【特許文献２】
特開２００１−０９９５４号公報
【０００６】
【発明が解決しようとする課題】
新しいレピアバンドを使用する際には、レピアバンドを慣らすための慣らし運転を行うのが一般的である。これは、位置規制体とレピアバンドとの摺接によってレピアバンドの表面を鏡面状態にすることによって位置規制体とレピアバンドとの摺接抵抗を減らすことを目的としている。レピアバンドは、例えばカーボン繊維をエポキシ樹脂等の接着剤で固めて構成されているが、前記の慣らし運転では、摺接抵抗による温度上昇が大きく、レピアバンドの温度が接着剤の耐熱温度を越えると、レピアバンドが破損する。
【０００７】
本発明は、レピアバンドの温度上昇を抑制することを目的とする。
【０００８】
【課題を解決するための手段】
そのために本発明は、レピアホイールに巻き掛けられたレピアバンドを前記レピアホイールの周面に対して位置規制する位置規制体を備え、レピアバンドの先端に取り付けられたレピアヘッドをレピアホイールの往復回動によって経糸開口内へ挿入すると共に、経糸開口内から退避させて緯糸を緯入れするレピア織機を対象とし、請求項１の発明では、前記レピアバンドの走行経路に対応してペルチェ素子を設け、前記ペルチェ素子への通電によって前記レピアバンドから熱を奪うようにした。
【０００９】
レピアバンドを慣らすための慣らし運転を行う場合にペルチェ素子に通電を行えば、ペルチェ素子はレピアバンドから熱を奪う。その結果、位置規制体との摺接に伴うレピアバンドの温度上昇が抑制される。
【００１０】
請求項２の発明では、請求項１において、前記レピアバンドに接触しないように前記位置規制体に前記ペルチェ素子を設けた。
レピアバンドと同様に温度上昇する位置規制体は、ペルチェ素子の設置個所として好適である。
【００１１】
請求項３の発明では、請求項２において、前記位置規制体の温度を検出する温度検出手段と、前記温度検出手段によって検出された温度に応じて、前記ペルチェ素子に対する通電の大きさを制御する制御手段とを備えた冷却装置を構成した。
【００１２】
制御手段の通電制御としては、例えば、温度検出手段によって検出された温度が所定温度以上になった場合には一定値の電流を流し、温度検出手段によって検出された温度が所定温度を下回る場合には電流を流さないといった制御がある。このような通電制御は、電力消費の低減に寄与する。
【００１３】
【発明の実施の形態】
以下、本発明を具体化した第１の実施の形態を図１〜図４に基づいて説明する。
【００１４】
図１に示す１１は緯入れ始端側から経糸（図示略）の開口内に挿入される受け渡し用レピアヘッドである。受け渡し用レピアヘッド１１は、レピアバンド１２の先端に止着されており、レピアバンド１２は、レピアホイール１３に巻き掛けられている。レピアバンド１２は、炭素繊維、アラミド繊維あるいはガラス繊維を接着剤（例えば、エポキシ樹脂）で固めて作られている。
【００１５】
レピアホイール１３を支持する支軸１３１は、織機駆動モータＭから駆動力を得る。支軸１３１は、織機の回転に同期して往復駆動され、レピアホイール１３が支軸１３１を中心に往復回動する。緯入れ末端側にもレピアバンド（図示略）が往復回動するレピアホイール（図示略）に巻き掛けられている。このレピアバンドの先端には受け取り用レピアヘッド（図示略）が止着されている。両レピアホイールの往動回動によって受け渡し用レピアヘッド１１及び受け取り用レピアヘッドが経糸開口内に挿入され、受け渡し用レピアヘッド１１及び受け取り用レピアヘッドが織幅の中央部で出会う。受け渡し用レピアヘッド１１によって経糸開口内へ挿入された緯糸（図示略）は、受け取り用レピアヘッドに受け渡される。両レピアホイールの復動回動によって受け渡し用レピアヘッド１１及び受け取り用レピアヘッドが経糸開口内から退避し、緯糸が経糸開口内を通される。
【００１６】
レピアバンド１２を巻き掛けるレピアホイール１３の周面には動力伝達歯１４が列設されており、レピアバンド１２には動力受承孔１５が列設されている。レピアバンド１２を巻き掛けるレピアホイール１３の周面上の巻き掛け範囲Ｅでは、動力伝達歯１４は動力受承孔１５と噛み合い、レピアホイール１３の往復回転が動力伝達歯１４及び動力受承孔１５を介してレピアバンド１２に伝達される。動力伝達歯１４の高さは、レピアバンド１２の厚みよりも大きくしてある。
【００１７】
支軸１３１は、支持板１６上に支持されており、支持板１６には固定ガイド２０，２１が止着されている。レピアバンド１２を巻き掛けないレピアホイール１３の周面上の非巻き掛け範囲Ｈと巻き掛け範囲Ｅとの間における受け渡し用レピアヘッド１１側の出入り境Ｋ１を通過してレピアホイール１３の周面から離れたレピアバンド１２は、固定ガイド２０によって案内される。非巻き掛け範囲Ｈと巻き掛け範囲Ｅとの間における他の境Ｋ２を通過してレピアホイール１３の周面から離れたレピアバンド１２は、固定ガイド２１によって案内される。固定ガイド２０，２１はレピアバンド１２の直線移動経路を規定する。
【００１８】
支持板１６には第１の位置規制体１７、第２の位置規制体１８及び第３の位置規制体１９が止着されている。第１の位置規制体１７、第２の位置規制体１８及び第３の位置規制体１９は、いずれも鉄製である。第１の位置規制体１７は、出入り境Ｋ１から非巻き掛け範囲Ｈ側にかけて配置されており、第２の位置規制体１８は境Ｋ２側で巻き掛け範囲Ｅから非巻き掛け範囲Ｈにかけて配置されている。第３の位置規制体１９は、出入り境Ｋ１から巻き掛け範囲Ｅ側にかけて配置されている。第１の位置規制体１７及び第２の位置規制体１８は、非巻き掛け範囲Ｈ側でレピアバンド１２に接するガイド平面１７１，１８１を備えている。第３の位置規制体１９は、巻き掛け範囲Ｅ側でレピアバンド１２に接する円弧面形状のガイド曲面１９１を備えている。ガイド曲面１９１は、ガイド平面１７１に滑らかに連なっている。即ち、ガイド平面１７１は、ガイド曲面１９１の接平面である。
【００１９】
図３に示すように、ガイド平面１７１，１８１及びガイド曲面１９１には逃げ溝１７２，１８２，１９２が形成されている。レピアバンド１２の動力受承孔１５から突出する動力伝達歯１４の歯先１４１は、逃げ溝１７２，１８２，１９２に入り込むようになっている。
【００２０】
レピアホイール１３の周面から離れてゆこうとしているレピアバンド１２の部位は、レピアバンド１２の弾性復帰力及び遠心力によって本来の直線移動経路から浮き上がろうとする。ガイド平面１７１は、出入り境Ｋ１から受け渡し用レピアヘッド１１側に直線的に延びてレピアバンド１２に接しながらレピアバンド１２をレピアホイール１３の周面に対して位置規制する。ガイド平面１８１は、境Ｋ２側でレピアバンド１２に接しながらレピアバンド１２をレピアホイール１３の周面に対して位置規制する。即ち、第１の位置規制体１７及び第２の位置規制体１８は、レピアホイール１３から離れるレピアバンド１２の浮き上がりを抑制する。
【００２１】
ガイド曲面１９１は、出入り境Ｋ１から巻き掛け範囲Ｅの一部におけるレピアホイール１３の周面に沿って湾曲して延びてレピアバンド１２に接しながらレピアバンド１２をレピアホイール１３の周面に対して位置規制する。ガイド曲面１９１の円弧長さは、巻き掛け範囲Ｅの１／４程度にしてある。
【００２２】
受け取り用レピアヘッド側のレピアホイールにも、位置規制体１７，１８，１９等と同じ構成が設けられている。
図１に示すように、第３の位置規制体１９の外面にはペルチェ素子２２が配設されている。図２は、レピアバンド１２の走行経路に対応して設けられるペルチェ素子２２を示す。ペルチェ素子２２は、一対の接合板２３，２４と、接合板２３，２４の対向面上に止着された複数の電極２５，２５Ａ，２５Ｂと、対向する電極２５，２５Ａ，２５Ｂ間に介在された熱伝達体２６，２７とからなる。接合板２３，２４は、セラミック（例えば、アルミナ）製であり、電極２５，２５Ａ，２５Ｂは、銅製である。熱伝達体２６は、Ｎ型半導体製であり、熱伝達体２７は、Ｐ型半導体製である。図２に示すペルチェ素子２２の場合には、電極２５Ａが正極となり、電極２５Ｂが負極となる。第３の位置規制体１９の外面には接合板２３が接合されている。直流を流されたペルチェ素子２２は、接合板２３側の熱を熱伝達体２６，２７を介して接合板２４側へ伝達する。吸熱側である接合板２３は、第３の位置規制体１９を介してレピアバンド１２に対向している。接合板２４は放熱側である。第３の位置規制体１９に対する接合板２３の接合面は、第３の位置規制体１９から熱を奪う吸熱面２２１である。接合板２４の外面は、熱を放熱する放熱面２２２である。
【００２３】
受け取り用レピアヘッド側の第３の位置規制体にもペルチェ素子が設けられている。
ペルチェ素子２２には制御手段２８が電気的に接続されている。制御手段２８は、一定の電圧を印加する直流電源（図示略）を含む。制御手段２８にはタイマ２９が信号接続されている。タイマ２９は、任意の作動時間を設定可能な時限設定型である。タイマ２９を例えばＴ時間の作動時間に設定した後、タイマ２９のスイッチをＯＮすると、タイマ２９は、このＯＮ時から作動信号をＴ時間だけ制御手段２８に出力する。制御手段２８は、タイマ２９からの作動信号が入力している間はペルチェ素子２２に直流電流を流す。タイマ２９からの作動信号の入力がなくなると、制御手段２８は、ペルチェ素子２２への通電を停止する。
【００２４】
受け取り用レピアヘッド側のペルチェ素子も制御手段２８の制御を受ける。
なお、図４（ａ）のグラフは、ペルチェ素子２２に供給される電流の値と、ペルチェ素子２２に印加される電圧の値と、接合板２３，２４間の温度差との関係を表す。横軸は、電流値を表し、縦軸は電圧値を表す。図４（ａ）における線Δ１は、接合板２３，２４間の温度差が零の場合における電流−電圧の関係を表し、線Δ２は、接合板２３，２４間の温度差が或る温度（例えば７０°Ｃ）の場合における電流−電圧の関係を表す。電流値が同じである場合、接合板２３，２４間の温度差は、電圧値が大きいほど大きくなる。
【００２５】
図４（ｂ）のグラフは、ペルチェ素子２２に供給される電流の値と、第３の位置規制体１９から吸熱される吸熱量との関係を表す。　図４（ｂ）における曲線Ｄは、接合板２３，２４間の温度差が或る温度（例えば７０°Ｃ）の場合における電流値−吸熱量の関係を表す。
【００２６】
ペルチェ素子２２に供給される電流の値、及びペルチェ素子２２に印加される電圧の値は、図４（ａ），（ｂ）で示すペルチェ素子の特性、及びペルチェ素子２２がない状態でレピアバンド１２の慣らしを行う際のレピアバンド１２の温度の上昇具合を考慮して決定すればよい。
【００２７】
次に、第１の実施の形態の作用を説明する。
レピアバンド１２は、未使用の新しいレピアバンドであるとする。未使用のレピアバンド１２を慣らすための慣らし運転を行う場合、タイマ２９の作動時間を例えばＴ時間（一般的には１０数時間）に設定する。次いで、タイマ２９のスイッチをＯＮした後、直ちに織機の起動スイッチ１０をＯＮする。これにより織機制御コンピュータＣが織機駆動モータＭを作動させ、レピアホイール１３が往復回動する。タイマ２９は、制御手段２８に作動信号を出力し、制御手段２８は、制御手段２８は、タイマ２９からの作動信号の入力に応答して、ペルチェ素子２２に直流を流す。
【００２８】
レピアバンド１２は、第３の位置規制体１９のガイド曲面１９１に摺接し、第３の位置規制体１９とレピアバンド１２との摺接によって熱が発生する。直流を流されているペルチェ素子２２は、第３の位置規制体１９とレピアバンド１２との摺接によって発生する熱を接合板２３及び熱伝達体２６，２７を介して接合板２４側へ伝達する。接合板２４に伝達された熱は、接合板２４から放熱される。
【００２９】
第１の実施の形態では以下の効果が得られる。
（１−１）レピアバンド１２は、レピアバンド１２と第３の位置規制体１９との摺接によって発生する熱によって昇温する。レピアバンド１２は、炭素繊維を接着剤で固めて作られており、レピアバンド１２の温度が接着剤の耐熱温度を越えると、レピアバンド１２が破損する。ペルチェ素子２２は、レピアバンド１２から熱を奪い、第３の位置規制体１９との摺接に伴うレピアバンド１２の温度上昇が抑制される。その結果、レピアバンド１２が耐熱温度を越えるほどに過熱して破損することはない。
【００３０】
（１−２）ペルチェ素子２２は、レピアバンド１２と摺接する第３の位置規制体１９を介してレピアバンド１２から熱を奪う。ペルチェ素子２２は、レピアバンド１２に接触しないため、ペルチェ素子２２が損傷することはない。従って、レピアバンド１２と同様に温度上昇する第３の位置規制体１９は、ペルチェ素子２２の設置個所として好適である。
【００３１】
（１−３）受け渡し用レピアヘッド１１の経糸開口からの退避終了時付近では、レピアホイール１３の回転速度変化が大きく、受け渡し用レピアヘッド１１の慣性力が大きくなる。又、巻き掛け範囲Ｅではレピアバンド１２が遠心力によってレピアホイール１３の周面から浮き上がろうとする。そのため、図１に示す出入り境Ｋ１から巻き掛け範囲Ｅにかけての円弧範囲Ｅ１では、レピアバンド１２が特に浮き上がり易い。第３の位置規制体１９がないとすると、レピアバンド１２は、円弧範囲Ｅ１で浮き上がってしまい、円弧範囲Ｅ１では動力伝達歯１４と動力受承孔１５との噛合が不完全となる。そうすると、出入り境Ｋ１付近における動力伝達歯１４と動力受承孔１５との噛合部位に前記慣性力が集中する。出入り境Ｋ付近における動力伝達歯１４と動力受承孔１５との噛合部位への大きな慣性力の集中は、動力受承孔１５の破損を早めてレピアバンド１２の寿命を短くする。
【００３２】
本実施の形態における第３の位置規制体１９は、円弧範囲Ｅ１におけるレピアバンド１２の浮き上がりを阻止する。そのため、円弧範囲Ｅ１における動力伝達歯１４と動力受承孔１５との噛合はしっかりとし、受け渡し用レピアヘッド１１の前記慣性力は、円弧範囲Ｅ１内の動力伝達歯１４と動力受承孔１５との噛合部位で分散して受け止められる。従って、受け渡し用レピアヘッド１１の大きな慣性力が特定位置の動力受承孔１５に集中することはなく、動力受承孔１５が破損し難くなる。その結果、レピアバンド１２の寿命が長くなる。
【００３３】
受け渡し用レピアヘッド１１の経糸開口からの退避終了時付近では、レピアホイール１３の回転速度変化が大きいため、受け渡し用レピアヘッド１１の慣性力が大きくなる。そのため、レピアバンド１２と第３の位置規制体１９との間での摩擦力は、他の位置規制体１７，１８とレピアバンド１２との摺接に比べて大きくなる。従って、レピアバンド１２と第３の位置規制体１９との摺接による熱発生は、他の位置規制体１７，１８とレピアバンド１２との摺接による熱発生よりも大きい。つまり、第３の位置規制体１９では熱の発生は、他の位置規制体１７，１８での熱の発生に比べて大きい。このように最も熱の発生が大きい第３の位置規制体１９から熱を奪えば、レピアバンド１２の温度上昇は最も効率良く抑制される。即ち、動力受承孔１５の破損を防止してレピアバンド１２の寿命を延ばす効果をもたらす第３の位置規制体１９は、ペルチェ素子２２の設置個所として特に好適である。
【００３４】
次に、図５の第２の実施の形態を説明する。第１の実施の形態と同じ構成部には同じ符号が用いてある。
第２の実施の形態では、第３の位置規制体１９の温度を検出するための温度検出器３０が設けられている。温度検出手段としての温度検出器３０によって検出された温度の情報は、制御手段２８Ａへ送られる。制御手段２８Ａは、第１の実施の形態と同様の直流電源（図示略）を含んでいる。制御手段２８Ａには警報装置３１が信号接続されている。制御手段２８Ａは、温度検出器３０から送られてくる温度情報と、予め設定された基準温度との比較に基づいて、ペルチェ素子２２に対する通電を制御する。予め設定された基準温度は、レピアバンド１２に使用される接着剤の耐熱温度よりも低い温度である。
【００３５】
未使用のレピアバンド１２を慣らすための慣らし運転を行う場合、織機の起動スイッチ１０をＯＮすると、織機制御コンピュータＣが織機駆動モータＭを作動させ、レピアホイール１３が往復回動する。又、起動スイッチ１０のＯＮ信号が制御手段２８Ａへ送られ、制御手段２８Ａは、ＯＮ信号の入力に応答して、ペルチェ素子２２に対する通電制御を開始する。温度検出器３０によって検出された温度が基準温度以上になると、制御手段２８Ａは、ペルチェ素子２２に通電を行う。直流を流されているペルチェ素子２２は、第３の位置規制体１９とレピアバンド１２との摺接によって発生する熱を吸熱面２２１側から放熱面２２２側へ伝達する。温度検出器３０によって検出された温度が基準温度を下回ると、制御手段２８Ａは、ペルチェ素子２２への通電を停止する。
【００３６】
温度検出器３０によって検出された温度が基準温度以上になっている状態が所定時間を越えると、制御手段２８Ａは、警報装置３１に警報を指令する。警報装置３１は、前記指令に応じてランプを点滅したり、警報音を出したりして異常発生を報知する。
【００３７】
第２の実施の形態では、第１の実施の形態における（１−１）〜（１−３）項と同じ効果が得られる上に、以下の効果が得られる。
（２−１）温度検出器３０によって検出された温度が所定温度以上になった場合には一定値の電流がペルチェ素子２２に流され、温度検出器３０によって検出された温度が所定温度を下回る場合にはペルチェ素子２２への通電が停止される。このような通電制御は、最も少ない電力消費で第３の位置規制体１９の温度を基準温度付近に維持することを可能にする。つまり、温度検出器３０によって検出された温度をフィードバックして第３の位置規制体１９の温度を基準温度付近に維持する通電制御は、電力消費の低減に寄与する。
【００３８】
（２−２）温度検出器３０によって検出された温度が基準温度以上になっている状態が長く続く原因としては、例えばペルチェ素子２２が壊れている場合が考えられる。警報装置３１の採用は、このような異常事態に対する対処（例えばペルチェ素子２２の異常発見）を可能にする。
【００３９】
（２−３）ペルチェ素子２２に対する通電を長時間にわたって連続して行うと、第３の位置規制体１９が冷え過ぎて結露を生じるおそれがある。鉄製の第３の位置規制体１９に結露が生じると、第３の位置規制体１９に錆が生じるおそれがある。第３の位置規制体１９のガイド曲面１９１側に錆が生じると、レピアバンド１２が損傷する。
【００４０】
温度検出器３０によって検出された温度をフィードバックして第３の位置規制体１９の温度を基準温度付近に維持する通電制御は、第３の位置規制体１９の冷やす過ぎを防止する。
【００４１】
本発明では以下のような実施の形態も可能である。
（１）図６に示す第３の実施の形態のように、接合板２４に放熱フィン２４１を設けること。放熱フィン２４１は、接合板２４の外表面積を増やして接合板２４における放熱効率を高める。そのため、接合板２３側における吸熱効率が向上する。
【００４２】
（２）第１の実施の形態において、レピアバンド１２に摺接する第１の位置規制体１７あるいは第２の位置規制体１８にペルチェ素子２２を取り付けること。
（３）第１の位置規制体１７、第２の位置規制体１８及び第３の位置規制体１９のそれぞれにペルチェ素子２２を取り付けること。
【００４３】
（４）本発明は、第３の位置規制体１９がなく、第１の位置規制体１７と第２の位置規制体１８とのみによってレピアホイール１３に対してレピアバンド１２を位置規制するレピア織機に適用してもよい。この場合、ペルチェ素子２２は、第１の位置規制体１７あるいは第２の位置規制体１８に取り付ければよい。
【００４４】
（５）未使用のレピアバンドを慣らす慣らし運転以外の織機運転の際にも、ペルチェ素子２２への通電によってレピアバンドを冷却するようにしてもよい。
前記した実施の形態から把握できる発明について以下に記載する。
【００４５】
〔１〕請求項２及び請求項３のいずれか１項において、前記位置規制体は、前記レピアホイールに前記レピアバンドを巻き掛ける巻き掛け範囲と、前記レピアバンドを巻き掛けない非巻き掛け範囲との間におけるレピアヘッド側のレピアバンドの出入り境付近から前記巻き掛け範囲の一部における前記レピアホイールの周面に沿って湾曲して延びて前記レピアバンドに接するガイド曲面を有するレピア織機におけるレピアバンドの冷却装置。
【００４６】
〔２〕請求項３において、前記制御手段は、前記ペルチェ素子に対する通電を零とする非通電状態と、前記ペルチェ素子に対する通電を一定値とする通電状態とに切り換え制御するレピア織機におけるレピアバンドの冷却装置。
【００４７】
〔３〕請求項２、請求項３、前記〔１〕項及び前記〔２〕項のいずれか１項において、前記位置規制体を介して前記ペルチェ素子の吸熱側を前記レピアバンドに対向させたレピア織機におけるレピアバンドの冷却装置。
【００４８】
【発明の効果】
以上詳述したように本発明では、レピアバンドの走行経路に対応してペルチェ素子を設け、前記ペルチェ素子への通電によって前記レピアバンドから熱を奪うようにしたので、レピアバンドの温度上昇を抑制し得るという優れた効果を奏する。
【図面の簡単な説明】
【図１】第１の実施の形態を示す側面図。
【図２】ペルチェ素子の断面図。
【図３】背面図。
【図４】（ａ），（ｂ）はペルチェ素子の特性を表すグラフ。
【図５】第２の実施の形態を示す要部側断面図。
【図６】第３の実施の形態を示すペルチェ素子の断面図。
【符号の説明】
１１…受け渡し用レピアヘッド。１２…レピアバンド。１３…レピアホイール。１７…第１の位置規制体。１８…第２の位置規制体。１９…第３の位置規制体。２２…ペルチェ素子。２８，２８Ａ…制御手段。３０…温度検出手段としての温度検出器。
【図１】
2004100070.tif 000003
【図２】
2004100070.tif 000004
【図３】
2004100070.tif 000005
【図４】
2004100070.tif 000006
【図５】
2004100070.tif 000007
【図６】
2004100070.tif 000008